(57)【要約】【課題】イオンを効率よく毛髪に付着させることのできるヘアーアイロンを得る。【解決手段】毛髪挟持部２の一方の分割挟持部２１に電位保持手段１０を接続し、当該毛髪挟持部２を、イオン生成部４から放出されるイオンの電荷に対して、当該イオンを毛髪に付着させ易くする電位に保持することで、イオンを毛髪に効率よく付着させることができるようにした。【選択図】図５
2011005145.tif 000002
【特許請求の範囲】
【請求項１】
把持部と、当該把持部の一端に連設されて毛髪を挟み込む挟み部と、イオンを生成するイオン生成部と、を備えるヘアーアイロンであって、
前記毛髪挟持部に、当該毛髪挟持部の電位を保持する電位保持手段を接続したことを特徴とするヘアーアイロン。
【請求項２】
前記電位保持手段は、前記毛髪挟持部の電位を、イオン生成部から放出されるイオンの電荷とは反対の電位に保持することを特徴とする請求項１に記載のヘアーアイロン。
【請求項３】
前記電位保持手段は、前記毛髪挟持部の電位とイオン生成部から放出されるイオンの電荷とが同極の場合において、前記毛髪挟持部の電位を、前記イオンの電位よりも低いレベルで保持することを特徴とする請求項１に記載のヘアーアイロン。
【請求項４】
前記電位保持手段は、前記毛髪挟持部の電位を、アースと同じ電位に保持することを特徴とする請求項１に記載のヘアーアイロン。
【請求項５】
毛髪を所定の電位に保持する帯電部が設けられており、前記電位保持手段は、前記帯電部の電位と同じ電位に保持することを特徴とする請求項１に記載のヘアーアイロン。
【請求項６】
前記電位保持手段は、毛髪挟持部の電位を、把持部の電位と同じ電位に保持することを特徴とする請求項１に記載のヘアーアイロン。
【請求項７】
前記毛髪挟持部は、毛髪を挟み込む部材の少なくとも一方を導電材料で形成したことを特徴とする請求項１〜６のうちいずれか１項に記載のヘアーアイロン。
【請求項８】
前記電位保持手段の接続部材と毛髪挟持部との固定を、毛髪挟持部とこれを把持部に結合するための保持部材とを固定する締結部材によって行うことを特徴とする請求項１〜７のうちいずれか１項に記載のヘアーアイロン。
【発明の詳細な説明】
【技術分野】
【０００１】
本発明は、ヘアーアイロンに関する。
【背景技術】
【０００２】
一般に、髪ケア装置の一種であるヘアーアイロンは、毛髪を挟み込む挟み部と、当該挟み部に設けられ挟んだ毛髪を加熱する加熱部と、を備えており、挟み部に挟んだ毛髪にカールやストレートなどの所望のくせ付けを施すことができるようになっている。
【０００３】
このような髪ケア装置として、イオン生成部を設け、当該イオン生成部によって生成されたイオンを毛髪などの対象物に付着させるとともに、当該対象物の電位を所定の電位に保持する電位保持手段を設け、対象物に継続して付着させることができるようにしたものが知られている（たとえば、特許文献１参照）。
【先行技術文献】
【特許文献】
【０００４】
【特許文献１】特開２００３−０５９６２２号公報
【発明の概要】
【発明が解決しようとする課題】
【０００５】
しかしながら、上記特許文献１には、イオンを継続して対象物（毛髪）に付着させるように対象物の電位を保持する電位保持手段は設けられているが、対象物の周辺に存在する部材の帯電に対する対処方法については何ら言及されていない。このため、髪ケア装置をヘアーアイロンとした場合には、対象物の周辺にある部材、たとえば、毛髪挟持部が放出されたイオンと同極に帯電した際に、毛髪挟持部の帯電を有効に除去することができず、イオン生成部から放出されるイオンが、対象物の周辺部材に帯電した同極の電荷と反発して対象物に十分に行き渡らなくなってしまうおそれがあった。
【０００６】
そこで、本発明は、イオンを効率よく毛髪に付着させることのできるヘアーアイロンを得ることを目的とする。
【課題を解決するための手段】
【０００７】
請求項１の発明にあっては、把持部と、当該把持部の一端に連設されて毛髪を挟み込む挟み部と、イオンを生成するイオン生成部と、を備えるヘアーアイロンであって、前記毛髪挟持部に、当該毛髪挟持部の電位を保持する電位保持手段を接続したことを特徴とする。
【０００８】
請求項２の発明にあっては、請求項１に記載のヘアーアイロンにおいて、前記電位保持手段は、前記毛髪挟持部の電位を、イオン生成部から放出されるイオンの電荷とは反対の電位に保持することを特徴とする。
【０００９】
請求項３の発明にあっては、請求項１に記載のヘアーアイロンにおいて、前記電位保持手段は、前記毛髪挟持部の電位とイオン生成部から放出されるイオンの電荷とが同極の場合において、前記毛髪挟持部の電位を、前記イオンの電位よりも低いレベルで保持することを特徴とする。
【００１０】
請求項４の発明にあっては、請求項１に記載のヘアーアイロンにおいて、前記電位保持手段は、前記毛髪挟持部の電位を、アースと同じ電位に保持することを特徴とする。
【００１１】
請求項５の発明にあっては、請求項１に記載のヘアーアイロンにおいて、毛髪を所定の電位に保持する帯電部が設けられており、前記電位保持手段は、前記帯電部の電位と同じ電位に保持することを特徴とする。
【００１２】
請求項６の発明にあっては、請求項１に記載のヘアーアイロンにおいて、前記電位保持手段は、毛髪挟持部の電位を、把持部の電位と同じ電位に保持することを特徴とする。
【００１３】
請求項７の発明にあっては、請求項１〜６のうちいずれか１項に記載のヘアーアイロンにおいて、前記毛髪挟持部は、毛髪を挟み込む部材の少なくとも一方を導電材料で形成したことを特徴とする。
【００１４】
請求項８の発明にあっては、請求項１〜７のうちいずれか１項に記載のヘアーアイロンにおいて、前記電位保持手段の接続部材と毛髪挟持部との固定を、毛髪挟持部とこれを把持部に結合するための保持部材とを固定する締結部材によって行うことを特徴とする。
【発明の効果】
【００１５】
請求項１の発明によれば、毛髪挟持部に電位保持手段を設けることで、当該毛髪挟持部を、イオン生成部から放出されるイオンの電荷に対して、当該イオンを毛髪に付着させ易くする電位に保持することができるため、イオンを毛髪に効率よく付着させることができるようになる。
【００１６】
請求項２の発明によれば、毛髪挟持部の電位を、イオン生成部から放出されるイオンの電荷とは反対の電位に保持するようにしたため、イオン生成部から放出されるイオンと同極に帯電した毛髪挟持部が、イオン生成部から放出されるイオンを反発してしまうのを抑制することができ、イオンを毛髪により一層効率よく付着させることができる。
【００１７】
請求項３の発明によれば、毛髪挟持部の電位とイオン生成部から放出されるイオンの電荷とが同極の場合に、毛髪挟持部の電位を、イオン生成部から放出されるイオンの電位よりも低いレベルで保持し、毛髪挟持部とイオンとの間に電位差を生じさせることで、イオンを毛髪挟持部に向けて誘引させることが可能になるため、毛髪挟持部の電位がイオン生成部から放出されるイオンの電荷と同極になっている場合であっても、毛髪挟持部がイオン生成部から放出されるイオンを反発してしまうのが抑制され、イオンを毛髪に効率よく付着させることができるようになる。
【００１８】
請求項４の発明によれば、毛髪挟持部を、アースと同じ電位に保持することで、毛髪挟持部をアースさせた状態とすることができ、毛髪挟持部に発生する帯電を除去することができる。これにより、イオン生成部から放出されるイオンを、毛髪に当て続けることができ、当該イオンを毛髪に効率よく付着させることができるようになる。
【００１９】
請求項５の発明によれば、毛髪挟持部の電位を、帯電部の電位と同じ電位に保持することで、毛髪挟持部の電位が、帯電部に接触した使用者、つまり、使用者の毛髪と同電位になり、イオン生成部から放出されたイオンを、毛髪挟持部を含めて毛髪により安定して当て続けることができるようになる。これにより、イオン生成部から放出されたイオンを、より効率良く毛髪に付着させることができる。
【００２０】
請求項６の発明によれば、毛髪挟持部の電位を、把持部の電位と同じ電位で保持することで、毛髪挟持部の電位が、把持部を握った使用者、つまり、使用者の毛髪と同電位になり、イオン生成部から放出されたイオンを、毛髪挟持部を含めて毛髪により安定して当て続けることができる。これにより、イオン生成部から放出されたイオンを、より効率良く毛髪に付着させることができる。
【００２１】
請求項７の発明によれば、毛髪挟持部の毛髪を挟み込む部材の少なくとも一方が導電材料で形成されるので、毛髪挟持部の帯電を除去し易くなる。これにより、イオン生成部から放出されたイオンを、効率良く毛髪に付着させることができる。
【００２２】
請求項８の発明によれば、電位保持手段の接続部材と毛髪挟持部との固定が、毛髪挟持部とこれを把持部に結合するための保持部材とを固定する締結部材によって行われるので、電位保持手段と毛髪挟持部との接続作業や組付作業をより簡素化することができる。
【図面の簡単な説明】
【００２３】
【図１】図１は、本発明の第１実施形態にかかるヘアーアイロンの側面図である。
【図２】図２は、図１に示すヘアーアイロンの底面図である。
【図３】図３は、図１に示すヘアーアイロンの平面図である。
【図４】図４は、図１に示すヘアーアイロンの斜視図である。
【図５】図５は、図３中V−V線に沿った断面図である。
【図６】図６は、電位保持手段と毛髪挟持部との接続状態を模式的に示す説明図である。
【図７】図７は、本発明の第２実施形態にかかるヘアーアイロンの側面図である。
【図８】図８は、図７に示すヘアーアイロンの底面図である。
【図９】図９は、図７に示すヘアーアイロンの平面図である。
【図１０】図１０は、図７に示すヘアーアイロンの斜視図である。
【図１１】図１１は、図９中XI−XI線に沿った断面図である。
【発明を実施するための形態】
【００２４】
以下、本発明の実施形態について図面を参照しつつ詳細に説明する。なお、以下の複数の実施形態には、同様の構成要素が含まれている。よって、以下では、それら同様の構成要素には共通の符号を付与するとともに、重複する説明を省略する。
【００２５】
（第１実施形態）
本実施形態では、毛髪をストレートにくせ付けでき、かつ、カール状にくせ付けできるヘアーアイロン１に本発明を適用した場合を例示する。
【００２６】
図１〜図４に示すように、ヘアーアイロン１は、一般的に、毛髪を挟み込むことによりくせ付けを施す毛髪挟持部２と、その毛髪挟持部２を使用者が握って保持する把持部３と、を備えている。そして、本実施形態にかかるヘアーアイロン１には、イオンを生成するとともに、当該生成されたイオンを毛髪挟持部２に挟み込んだ毛髪の束に向けて放出するイオン生成部４（図４参照）が設けられている。
【００２７】
毛髪挟持部２は、対向面および外周面が加熱面となり、相互に接離自在となって毛髪を挟み込む一対の半円柱状の分割挟持部２１、２２と、これら分割挟持部２１、２２のうち一方（図１中上方）の分割挟持部２１の外周面に接離自在となって毛髪を挟み込む押え板２３と、によって構成されている。
【００２８】
分割挟持部２１、２２は、それぞれが熱伝導性が高い導電材料である金属（たとえば、銅）によって断面半円形状に形成されており、それぞれの分割挟持部２１、２２の内部には、それら分割挟持部２１、２２の対向面および外周面を加熱するヒータ６（図５参照）が内蔵されている。
【００２９】
したがって、一対の分割挟持部２１、２２の対向面間に毛髪の束を挟み込むことにより、その挟み込まれた毛髪は対向面で加熱されて温められ、毛髪にストレート状のくせ付けを施すことができるようになっている。また、分割挟持部２１、２２の先端には、水タンク２４が設けられており、水タンク２４内に貯水された水をヒータ６に供給して蒸発させることで分割挟持部２１、２２の周面から外方にスチームとして噴出させることができるようになっている。
【００３０】
押え板２３は、分割挟持部２１の外周面に沿った断面円弧状に形成されており、枢支点Ｐ１を軸に回動できるように枢着されている。本実施形態では、押え板２３は、先端方向にへら状に延在する押え面部２３１と、この押え面部２３１の基端部から把持部３方向に延出される操作部２３２と、を備えている。そして、操作部２３２は、図１に示すように、その延出先端側が把持部３から離れるように傾斜して持ち上がっており、その基部が把持部３の先端部にばね２５を介して取り付けられている。
【００３１】
また、押え板２３は、自然状態では、押え面部２３１が上記ばね２５の付勢力によって分割挟持部２１の外周面に弾接されるようになっている。したがって、操作部２３２を、ばね２５の付勢力に抗して分割挟持部２１方向に押し付ける方向に操作することにより、押え面部２３１は枢支点Ｐ１を中心として拡開して分割挟持部２１から離れる。この状態で、押え面部２３１と分割挟持部２１との間に毛髪の束を差し込んだ後、操作部２３２の押し付け力を解除すると、押え面部２３１と分割挟持部２１の外周面との間に、ばね２５の付勢力で毛髪を挟み込むことができる。このようにして、押え面部２３１と分割挟持部２１との間に挟まれた毛髪は、加熱面となった分割挟持部２１の外周面から加熱されて温められ、毛髪にカール状のくせ付けを施すことができる。
【００３２】
把持部３は、それぞれの分割挟持部２１、２２に個別に連設されるように分割された分割把持部３１、３２で構成されており、一方の分割把持部３１の先端から一方の分割挟持部２１が一体的に突設されるとともに、他方の分割把持部３２の先端から他方の分割挟持部２２が一体的に突設されている。
【００３３】
すなわち、図５に示すように、それぞれの分割挟持部２１、２２の基部には保持部材２１１、２２１が結合されており、一方の分割挟持部２１の保持部材２１１は、図示省略したねじによって一方の分割把持部３１、詳細には後述するハウジング３１１の先端部に着脱可能に取り付けられるとともに、他方の分割挟持部２２の保持部材２２１は、同様に図示省略したねじによって他方の分割把持部３２、詳細には後述するハウジング３２１の先端部に着脱可能に取り付けられている。
【００３４】
このように、本実施形態では、ねじを取り外すことにより毛髪挟持部２を把持部３から取り外すことができ、毛髪挟持部２の交換が可能となっている。
【００３５】
そして、図４および図５に示すように、それぞれ一体となった分割把持部３１および分割挟持部２１と、分割把持部３２および分割挟持部２２と、が相互に開閉（接離）できるようになっている。すなわち、分割把持部３１の基部と分割把持部３２の基部とが、図示省略したばねを介して枢支点Ｐ２を軸に回動できるように枢着されている。なお、ばねは、分割把持部３１、３２を所定量拡開する方向に付勢されており、両分割把持部３１、３２を握り絞めることにより、分割挟持部２１、２２を閉じて、それらの間に毛髪を挟み込むことができるようになっている。
【００３６】
それぞれの分割把持部３１，３２は、外郭を成す合成樹脂製のハウジング３１１、３２１によって外装されており、図５に示すように、ハウジング３１１、３２１の内部に、それぞれのヒータ６に通ずる配線が収納されている。
【００３７】
さらに、図３に示すように、一方のハウジング３１１に電源スイッチ７Ａおよび温度切替スイッチ７Ｂが設けられるとともに、他方のハウジング３２１にロックスイッチ７Ｃおよび帯電部５の帯電板５１が設けられている。電源スイッチ７Ａは、全ての電装部品、つまり、ヒータ６、イオン生成部４および帯電部５、さらには後述する電位保持手段１０などへの通電をＯＮ・ＯＦＦするスイッチである。また、温度切替スイッチ７Ｂは、ヒータ６の発熱量を切り替えるスイッチであり、ロックスイッチ７Ｃは、分割挟持部２１、２２の閉じ状態をロックおよびロック解除するスイッチである。なお、図示省略したが、把持部３の末端部（図１中右端部）には電源コードが接続されている。
【００３８】
また、本実施形態では、図２〜図４に示すように、一方の分割把持部３１を外装するハウジング３１１の先端部を両側に膨出させた膨出部３１２Ａ、３１２Ｂに、イオンを生成する２つのイオン生成部４が設けられており、２つのイオン生成部４のうちの１つがミストを生成するミスト生成部４Ａとなっており、他の１つが金属微粒子を生成する金属微粒子生成部４Ｂとなっている。そして、このミスト生成部４Ａおよび金属微粒子生成部４Ｂで生成されたイオン（ミストおよび金属微粒子）が、それぞれ、放出口４１Ａ、４１Ｂから放出されるようになっている。
【００３９】
本実施形態では、ミスト生成部４Ａとして、高電圧発生回路からグランド電極を基準として放電極に高電圧を印加して放電（コロナ放電等）を生じさせ、放電作用によって結露水を微粒化することで、ナノメータサイズの非常に細かいミスト（マイナスイオンを含むマイナスに帯電されたミスト）を生成する装置を用いている。
【００４０】
なお、このミスト生成部４Ａとしては、ペルチェ素子および熱伝導性を有する部材（例えば金属部材等）からなる冷却板と、冷却板を冷却する際に発生する熱量を放熱する放熱フィンとを備え、ペルチェ素子によって冷却された冷却板の表面に空気中の水分を結露させ、結露水を生じさせる公知のものを用いることができる。
【００４１】
また、金属微粒子生成部４Ｂとして、高電圧発生回路からグランド電極を基準として放電極に高電圧を印加して放電（コロナ放電等）を生じさせ、その放電作用によって放電極やグランド電極等から金属微粒子（金属の分子やイオン等）を放出させる装置を用いている。
【００４２】
また、この金属微粒子生成部４Ｂとしても、公知のものを用いることができ、金属微粒子生成部４Ｂの放電極を、例えば、遷移金属（例えば、金、銀、銅、白金、亜鉛、チタン、ロジウム、パラジウム、イリジウム、ルテニウム、オスミウム等）の単体、合金、あるいは遷移金属をメッキ処理した部材等で構成することが可能である。
【００４３】
ここで、放電部で生成され放出された金属の微粒子に、金や、銀、銅、亜鉛等が含まれている場合には、当該金属の微粒子によって抗菌作用を生じさせることができる。また、金属の微粒子に、白金、亜鉛、チタン等が含まれている場合には、当該金属の微粒子によって抗酸化作用を生じさせることができる。なお、白金の微粒子は、抗酸化作用が極めて高いことが判明している。また、金属微粒子の放出をさせない部分（例えばグランド電極等）は、ステンレススチールや、タングステン等を用いて構成することができる。
【００４４】
また、放電部は、放電作用によってイオン（例えばマイナスイオン、例えばＮＯ２−、ＮＯ３−等）を生じさせ、このイオンを、放電極や、グランド電極、他の金属材料や金属成分を含む部材等に衝突させることで、金属微粒子を生成するものであってもよい。すなわち、グランド電極や上記他の部材を、上記遷移金属を含む材料によって構成し、これらから金属微粒子を放出させるようにしてもよい。
【００４５】
上述したように、本実施形態にかかるヘアーアイロン１は、イオンならびに金属の微粒子を放出するものであるが、これらの電荷が使用者に蓄積されると、イオンが使用者に向けて放出されにくくなり、ひいては、金属の微粒子も放出され難くなる。そこで、本実施形態にかかるヘアーアイロン１に、使用者を、イオン生成部４で発生するイオンの電荷の反対極に帯電させる帯電部５を設けた。
【００４６】
帯電部５は、図示せぬ回路と、当該回路に導線を介して接続されるとともに、把持部３の外表面に露出する導電部材５１と、を備えている。そして、例えばイオン生成部４で発生するイオンがマイナスの場合には、回路内にグラウンドレベルより電位を高くする電圧源（例えば電池、コンデンサ等）を設け、その正極に導線を介して導電部材５１を接続し、当該導電部材５１をイオン生成部４のグラウンドレベルより所定電圧分だけプラスの高い電位となるようにする（なお、イオン生成部４で発生するイオンがプラスの場合には、導電部材５１をイオン生成部４のグラウンドレベルより所定電圧分だけマイナスの低い電位となるようにすればよい）。
【００４７】
また、導電部材５１は、導電性材料（例えば導体フィラーを含む合成樹脂材料等）によって所定形状に成形されており、把持部３の外表面に固定されている。
【００４８】
このように、帯電部５を設け、イオン生成部４で発生するイオンの電荷とは反対の極に使用者を帯電させることで、イオン生成部４で発生するイオンの電荷が使用者に蓄積されてイオンが使用者に到達しにくくなってしまうのを抑制することができるようになる。
【００４９】
ここで、本実施形態では、図５に示すように、使用時に毛髪の周辺に位置する部材である毛髪挟持部２に、当該毛髪挟持部２の電位をイオン生成部４から放出されるイオンの電荷に対して、当該イオンを毛髪に付着させ易くする電位となるように保持する電位保持手段１０を設けている。
【００５０】
本実施形態では、電位保持手段１０を設けることで、毛髪挟持部２の電位がイオン生成部４から放出されるイオンの電荷とは反対の電位となるようにしている。
【００５１】
さらに、本実施形態では、電位保持手段１０によって、毛髪挟持部２の電位を、帯電部５の電位と同じ電位となるように保持している。
【００５２】
この、電位保持手段１０は、図５に示すように、一方の分割把持部３１のハウジング３１１内に収納されており、図６に示すように、電位保持手段１０のリード線やバスバーなどの接続部材１０１と毛髪挟持部２の一方の分割挟持部２１との固定が、分割挟持部２１と分割把持部３１の保持部材２１１とを結合する締結部材としてのねじ８によって行われている。
【００５３】
具体的には、一方の分割挟持部２１の基部に結合され、分割挟持部２１を分割挟持部３１に固定するための保持部材２１１の分割挟持部２１を保持する保持面２１１ａに、接続部材１０１を差し込むスリット（または段差面）２１１ｂを形成し、そのスリット２１１ｂに、分割挟持部２１に接続部材１０１を接触させた状態で差し込み、それら分割挟持部２１と接続部材１０１とをねじ８によって共締めすることで、電位保持手段１０と毛髪挟持部２とを接続している。
【００５４】
この電位保持手段１０には図示せぬ回路部が形成されており、この回路部内に電圧源（例えば電池、コンデンサ、ダイオード等）を設けることで、毛髪挟持部２の電位が所定の値となるようにしている。具体的には、上述した帯電部５と同様、イオン生成部４で発生するイオンがマイナスの場合には、回路部内にイオン生成部４のグランドレベルより電位を高くする電圧源を設け、その正極に導線を介して毛髪挟持部２を接続し、当該毛髪挟持部２をイオン生成部４のグラウンドレベルより所定電圧分だけプラスの高い電位となるようにしている（なお、イオン生成部４で発生するイオンがプラスの場合には、電圧源のダイオードを逆向きに取り付けることで、毛髪挟持部２をイオン生成部４のグラウンドレベルより所定電圧分だけマイナスの低い電位となるようにすればよい）。
【００５５】
以上の本実施形態によれば、毛髪挟持部２の電位がイオン生成部４から放出されるイオンの電荷とは反対の電位となるように保持する電位保持手段１０を設けたため、毛髪挟持部２をイオン生成部４から放出されるイオンの電荷とは反対の電荷に帯電させることができ、イオン生成部４から放出されるイオンを毛髪挟持部２に向けて誘引させることができる。
【００５６】
また、電位保持手段１０を設け毛髪挟持部２の電位を所定の値となるように保持することで、ヘアーアイロン１使用時に、毛髪挟持部２に付着したイオンと毛髪挟持部２の電荷とを中和させることができるようになる。
【００５７】
さらに、電位保持手段１０によって、毛髪挟持部２の電位をイオン生成部４から放出されるイオンの電荷とは反対の電位となるように保持するため、ヘアーアイロン１を使用し続けたとしても、毛髪挟持部２が、イオン生成部４から放出されるイオンと同極に帯電してしまうのを抑制することができる。その結果、イオン生成部４から放出されるイオンを反発してしまうのを抑制することができ、イオンを毛髪に継続して付着させることができるようになる。
【００５８】
このように、本実施形態によれば、イオンを毛髪により一層効率よく付着させることができるようになる。
【００５９】
さらに、本実施形態では、帯電部５を設け、イオン生成部４で発生するイオンの電荷とは反対の極に使用者を帯電させるようにしているため、イオン生成部４で発生するイオンの電荷が使用者に蓄積されてイオンが使用者に到達しにくくなってしまうのをより一層抑制することができるようになる。
【００６０】
しかも、電位保持手段１０は、毛髪挟持部２の電位を、帯電部５の電位と同じ電位となるように保持するため、毛髪挟持部２の電位が、帯電部５に接触した使用者、つまり、使用者の毛髪と同電位になり、毛髪と毛髪挟持部２との間に電位差が生じるのを抑制することができ、イオン生成部から放出されたイオンを、より安定して毛髪に当て続けることができるようになる。これにより、イオン生成部から放出されたイオンを、より効率良く毛髪に付着させることができる。
【００６１】
また、本実施形態によれば、毛髪挟持部２を、相互に接離自在となって毛髪を挟み込む一対の半円柱状の分割挟持部２１、２２と、これら分割挟持部２１、２２の一方の外周面に接離自在となって毛髪を挟み込む押え板２３と、によって構成しているため、一対の分割挟持部２１、２２で毛髪を挟み込んで加熱することにより、毛髪をストレートにくせ付けできるとともに、一方の分割挟持部２１と押え板２３との間に毛髪を挟み込むことにより、毛髪をカール状にくせ付けできる。このように、本実施形態によれば、ストレートとカールの両方の髪形を１つのヘアーアイロン１によって達成することができる。
【００６２】
このとき、毛髪挟持部２でくせ付けされる毛髪には、イオン生成部４としてのミスト生成部４Ａおよび金属微粒子生成部４Ｂで生成されたミストや金属微粒子が付着するので、毛髪の毛先までしっとりと仕上げることが可能となる。また、金属微粒子によって抗菌作用や抗酸化作用を得ることができる。
【００６３】
また、本実施形態によれば、毛髪挟持部２の毛髪を挟み込む一対の分割挟持部２１、２２を導電材料である金属で形成しているため、毛髪挟持部２に付着したイオンを除去し易くすることができる。これにより、ミスト生成部４Ａおよび金属微粒子生成部４Ｂで生成されたミストや金属微粒子を、効率良く毛髪に付着させることができる。なお、この場合、一対の分割挟持部２１、２２のうちいずれか一方が導電材料で形成されていればよい。
【００６４】
さらに、本実施形態によれば、一方の分割把持部３１のハウジング３１１内に電位保持手段１０を収納し、電位保持手段１０の接続部材１０１と一方の分割挟持部２１との固定を、分割挟持部２１と分割把持部３１の保持部材２１１とを結合するねじ８によって行っているため、電位保持手段１０と毛髪挟持部２との接続作業や組付作業をより簡素化することができる。
【００６５】
（第２実施形態）
本実施形態にかかるヘアーアイロン１Ａは、基本的に上記第１実施形態にかかるヘアーアイロン１と同様の構成をしており、毛髪挟持部２と把持部３とを備え、かつ、イオン生成部４および帯電部５が設けられている。
【００６６】
ここで、本実施形態にかかるヘアーアイロン１Ａが上記第１実施形態にかかるヘアーアイロン１と大きく異なる点は、上記第１実施形態に示した押え板２３が設けられておらず、もっぱら、分割挟持部２１、２２のみによって毛髪挟持部２が構成されている点にある。したがって、本実施形態にかかるヘアーアイロン１Ａは、毛髪をストレートにくせ付けする機能のみを備えたものである。また、毛髪挟持部２を構成する分割挟持部２１、２２は、毛髪の挟持面を広く確保するため扁平な断面形状をしている。
【００６７】
そして、本実施形態にあっても、ミスト生成部４Ａおよび金属微粒子生成部４Ｂは、一方の分割把持部３１を外装したハウジング３１１の先端部の両側に設けた膨出部３１２Ａ、３１２Ｂに設けられており、このミスト生成部４Ａおよび金属微粒子生成部４Ｂで生成されたイオン（ミストおよび金属微粒子）が、それぞれ、放出口４１Ａ、４１Ｂから放出されるようになっている。
【００６８】
また、一方のハウジング３１１には、電源スイッチ７Ａおよび温度切替スイッチ７Ｂが設けられているが、他方のハウジング３２１には、帯電板５１のみが設けられており、上記第１実施形態で示したロックスイッチ７Ｃは設けられていない。なお、本実施形態においても、ロックスイッチ７Ｃを設けることが可能である。
【００６９】
さらに、本実施形態にかかる分割挟持部２１、２２は、毛髪を挟み込む対向面のみが加熱されればよく、平坦となった対向面のみが熱伝導性の高い金属で形成されており、分割挟持部２１、２２の外側は合成樹脂製のカバー２１２、２２２によって覆われている。そして、それらカバー２１２、２２２が、ハウジング３１１、３１２に連続するように取り付けられている。
【００７０】
ここで、本実施形態にかかるヘアーアイロン１Ａにあっても、上記第１実施形態と同様に、使用時に毛髪の周辺に位置する部材である毛髪挟持部２に、当該毛髪挟持部２の電位をイオン生成部４から放出されるイオンの電荷に対して、当該イオンを毛髪に付着させ易くする電位となるように保持する電位保持手段１０を設けてある（図１１参照）。また、電位保持手段１０を設けることで、毛髪挟持部２の電位がイオン生成部４から放出されるイオンの電荷とは反対の電位となるようにするとともに、電位保持手段１０によって、毛髪挟持部２の電位を、帯電部５の電位と同じ電位となるように保持している。
【００７１】
以上の本実施形態によっても、上記第１実施形態とほぼ同様の作用、効果を奏することができる。
【００７２】
ところで、上記第１および第２実施形態に示したヘアーアイロン１、１Ａでは、電位保持手段１０を、毛髪挟持部２の電位がイオン生成部４から放出されるイオンの電荷とは反対の電位となるように毛髪挟持部２に接続させたものを例示したが、毛髪挟持部２の電位を、イオン生成部４から放出されるイオンの電荷に対して、当該イオンを毛髪に付着させ易くする電位となるように保持するために、以下に示すような手段をとることも可能である。
【００７３】
まず、毛髪挟持部２の電位とイオン生成部４から放出されるイオンの電荷とが同極の場合に、毛髪挟持部２の電位を、イオン生成部４から放出されるイオンの電位よりも低いレベルで保持するように電位保持手段１０を設けてもよい。このとき、毛髪挟持部２の電位を、毛髪挟持部２とイオンとが反発せずに誘引される程度まで下げるようにするのが好適である。
【００７４】
こうすれば、毛髪挟持部２とイオン生成部４から放出されるイオンとの間に生じる電位差によって、イオンを毛髪挟持部２に向けて誘引させることが可能になるため、毛髪挟持部２の電位がイオン生成部４から放出されるイオンの電荷と同極になっている場合であっても、毛髪挟持部２によってイオン生成部４から放出されるイオンが反発してしまうのを抑制することができ、イオンを毛髪に効率よく付着させることができるようになる。
【００７５】
次に、毛髪挟持部２の電位を、アースと同じ電位に保持するように電位保持手段１０を設けてもよい。すなわち、毛髪挟持部２をアース線に接続することによって毛髪挟持部２の電位を０Ｖとなるように電位保持手段１０を設けてもよい。
【００７６】
こうすれば、ヘアーアイロン１使用時に、毛髪挟持部２に付着したイオンがアース線を通じて外部に流れるため、毛髪挟持部２の電位は、０Ｖのまま保持され、毛髪挟持部２によってイオン生成部４から放出されるイオンが反発してしまうのを抑制することができ、イオンを毛髪に効率よく付着させることができるようになる。
【００７７】
また、毛髪挟持部２の電位を、把持部３の電位と同じ電位で保持するようにしてもよい。
【００７８】
こうすれば、毛髪挟持部２の電位を、把持部３の電位と同じ電位で保持することができるため、毛髪挟持部２の電位が、把持部３を握った使用者、つまり、使用者の毛髪と同電位になり、イオン生成部４から放出されたイオンを、より安定して毛髪に当て続けることができる。これにより、イオン生成部４から放出されたイオンを、より効率良く毛髪に付着させることができる。
【００７９】
なお、帯電部５の電位も、上記説明した電位に保持することが可能である。そして、毛髪挟持部２および帯電部５の電位のそれぞれは、適宜設定することができる。
【００８０】
以上、本発明の好適な実施形態について説明したが、本発明は上記実施形態には限定されず、種々の変形が可能である。
【００８１】
たとえば、主に毛髪をカールする場合に用いられるヘアーアイロン等、毛髪をくせ付けする毛髪挟持部を備えるとともに、イオン生成部を設けることができるヘアーアイロンを用いても、本発明を実施することができる。
【００８２】
また、上記各実施形態では、イオン生成部から電荷がプラス、マイナスのいずれか一方のイオンが放出される場合を例示したが、マイナスイオン生成用とプラスイオン生成用の２つのイオン生成部を、それぞれを切り替え可能に設けるようにしてもよい。
【００８３】
こううすれば、主として毛髪に対してマイナスイオンを放出するヘアーアイロンの場合、イオン生成部からマイナスイオンを放出し続けて、毛髪がマイナスイオンによって帯電してマイナスイオンの付着量が減少した際に、一時的にイオン生成部からプラスイオンを放出することにより、マイナスイオンで飽和されていた毛髪の帯電を中和させることができる。その後、イオン生成部から放出されるイオンを、再度マイナスイオンに切り替えることで、毛髪にマイナスイオンを効率良く付着させることができるようになる。
【００８４】
また、上記各実施形態ではイオン生成部を２つ設けた場合を例示したが、これに限らず、１つもしくは３つ以上のイオン生成部を設けるようにしてもよい。
【００８５】
また、上記各実施形態では、ミスト生成部および金属微粒子生成部として、放電によりミストや金属微粒子を生成させるものを例示したが、ミスト生成部として、水を加熱してスチームを発生させるスチーム発生機構を搭載してもよいし、金属微粒子生成部として、金属の溶液を霧化して金属微粒子を生成する金属溶液霧化機構を搭載してもよい。
【００８６】
また、毛髪挟持部や把持部、電圧源その他細部のスペック（形状、大きさ、レイアウト等）も適宜に変更可能である。
【符号の説明】
【００８７】
１、１Ａ  ヘアーアイロン
２  毛髪挟持部
２１、２２  分割挟持部
３  把持部
３１、３２  分割把持部
４  イオン生成部
５  帯電部
８  ねじ（締結部材）
１０  電位保持手段
１０１  接続部材
２１１  保持部材
【図１】
2011005145.tif 000003
【図２】
2011005145.tif 000004
【図３】
2011005145.tif 000005
【図４】
2011005145.tif 000006
【図５】
2011005145.tif 000007
【図６】
2011005145.tif 000008
【図７】
2011005145.tif 000009
【図８】
2011005145.tif 000010
【図９】
2011005145.tif 000011
【図１０】
2011005145.tif 000012
【図１１】
2011005145.tif 000013